(57)【要約】【課題】着信時に発呼者に関連する情報を表示する情報通信端末を提供する。【解決手段】情報通信端末１００は、着信を受けると、発呼者の氏名および電話番号に加えて、当該発呼者からの受信メール８１０と、ブログ８２０とを、メイン表示部１３０に表示させる。【選択図】図８
2013165419.tif 000002
【特許請求の範囲】
【請求項１】
情報表示端末であって、
着信を受けるための受信回路と、
情報を表示するためのモニタと、
前記情報表示端末が受信した情報と、当該情報の発信者と、当該発信者のアドレス帳とを格納するためのメモリ装置と、
前記情報表示端末を制御するためのプロセッサとを備え、
着信に応答して、前記プロセッサは、前記発信者に関連付けられる情報が前記メモリ装置に存在する場合に、当該発信者の電話番号と前記関連付けられる情報とを前記モニタに表示するように構成されている、情報表示端末。
【請求項２】
前記関連付けられる情報は、電子メール、ブログに書き込まれた情報、またはソーシャルネットワーキングサービスにおいて通信された情報のいずれかを含む、請求項１に記載の情報表示端末。
【請求項３】
前記メモリ装置は、発信者の著名度を表わすフラグをさらに格納しており、
着信を受けたときの発信者の著名度が予め定められた著名度を上回る場合に、前記プロセッサは、
前記発信者に関する他の情報を、前記情報表示端末が接続しているネットワークから検索し、
検索された前記他の情報を前記モニタに表示するように構成されている、請求項１または２に記載の情報表示端末。
【請求項４】
複数の前記関連付けられる情報が前記メモリ装置に格納されている場合に、前記プロセッサは、日付が新しい順に当該関連付けられる情報を前記モニタに表示するように構成されている、請求項１〜３のいずれかに記載の情報表示端末。
【請求項５】
着信を受けた時の発信者が着信を拒否する発信者として前記メモリ装置に登録されている場合に、前記モニタは、当該発信者が着信を拒否する発信者であることを表示するように構成されている、請求項１〜４のいずれかに記載の情報表示端末。
【請求項６】
メモリ装置とプロセッサとを有する情報表示端末を制御するための方法であって、
前記プロセッサが、着信を検知するステップと、
前記プロセッサが、前記情報表示端末が受信した情報と、当該情報の発信者と、当該発信者のアドレス帳とをロードするステップと、
前記プロセッサが、着信に応答して、前記発信者に関連付けられる情報が前記メモリ装置に存在する場合に、当該発信者の電話番号と前記関連付けられる情報とを表示するステップとを備える、情報表示端末の制御方法。
【請求項７】
メモリ装置とプロセッサとを有する情報表示端末を制御するためのプログラムであって、前記プログラムは前記プロセッサに、
着信を受けるステップと、
前記情報表示端末が受信した情報と、当該情報の発信者と、当該発信者のアドレス帳とをロードするステップと、
着信に応答して、前記発信者に関連付けられる情報が前記メモリ装置に存在する場合に、当該発信者の電話番号と前記関連付けられる情報とを表示するステップとを実行させる、プログラム。
【発明の詳細な説明】
【技術分野】
【０００１】
本発明は、情報表示端末における情報の表示に関し、より特定的には、通信機能を有する情報表示端末における情報の表示の制御に関する。
【背景技術】
【０００２】
携帯電話機、スマートフォンその他の通信機能を有する情報表示端末は、電話の着信を受ける場合、設定に応じて、着信時に発呼者の電話番号や電話番号に関連付けて登録されている発呼者の氏名等を表示する。
【０００３】
情報の表示に関し、たとえば、特開２００８−２５２１８６号公報（特許文献１）は、「プライバシー保護と使い勝手向上とを両立させるように着信時の着信相手に関する情報の報知を行う通信機器及び通信機器の報知方法」を開示している。
【先行技術文献】
【特許文献】
【０００４】
【特許文献１】特開２００８−２５２１８６号公報
【発明の概要】
【発明が解決しようとする課題】
【０００５】
電話がかかってきた場合、その要件が事前に連絡されていたにも関わらず、応対者は、当該発呼者からの内容を把握できないまま電話に応対する場合がある。したがって、情報通信端末のユーザが、応答前に内容を予め把握できることが望ましい場合がある。
【０００６】
本開示は、上述のような課題を解決するためになされたものであって、その目的は、電話の着信時にユーザが当該電話の内容を把握することを支援できる情報表示端末を提供することである。
【０００７】
他の目的は、電話の着信時にユーザが当該電話の内容を把握することを支援できるように情報表示端末を制御するための方法を提供することである。
【０００８】
さらに他の目的は、電話の着信時にユーザが当該電話の内容を把握することを支援できるように情報表示端末を制御するためのプログラムを提供することである。
【課題を解決するための手段】
【０００９】
ある実施の形態に従う情報表示端末は、着信を受けるための受信回路と、情報を表示するためのモニタと、情報表示端末が受信した情報と、当該情報の発信者と、当該発信者のアドレス帳とを格納するためのメモリ装置と、情報表示端末を制御するためのプロセッサとを備える。着信に応答して、プロセッサは、発信者に関連付けられる情報がメモリ装置に存在する場合に、当該発信者の電話番号と、当該関連付けられる情報とを、モニタに表示するように構成されている。
【００１０】
好ましくは、当該関連付けられる情報は、電子メール、ブログに書き込まれた情報、またはソーシャルネットワーキングサービスにおいて通信された情報のいずれかを含む。
【００１１】
好ましくは、メモリ装置は、発信者の著名度を表わすフラグをさらに格納している。着信を受けたときの発信者の著名度が予め定められた著名度を上回る場合に、プロセッサは、発信者に関する他の情報を、情報表示端末が接続しているネットワークから検索し、検索された他の情報をモニタに表示するように構成されている。
【００１２】
好ましくは、複数の関連付けられる情報がメモリ装置に格納されている場合に、プロセッサは、日付が新しい順に当該関連付けられる情報をモニタに表示するように構成されている。
【００１３】
好ましくは、着信を受けた時の発信者が着信を拒否する発信者としてメモリ装置に登録されている場合に、モニタは、当該発信者が着信を拒否する発信者であることを表示するように構成されている。
【００１４】
他の実施の形態に従うと、メモリ装置とプロセッサとを有する情報表示端末を制御するための方法が提供される。この方法は、プロセッサが着信を検知するステップと、プロセッサが、情報表示端末が受信した情報と、当該情報の発信者と、当該発信者のアドレス帳とをロードするステップと、プロセッサが、着信に応答して、発信者に関連付けられる情報がメモリ装置に存在する場合に、当該発信者の電話番号と関連付けられる情報とを表示するステップとを備える。
【００１５】
さらに他の実施の形態に従うと、メモリ装置とプロセッサとを有する情報表示端末を制御するためのプログラムが提供される。このプログラムは、プロセッサに、着信を検知するステップと、情報表示端末が受信した情報と、当該情報の発信者と、当該発信者のアドレス帳とをロードするステップと、着信に応答して、発信者に関連付けられる情報がメモリ装置に存在する場合に、当該発信者の電話番号と関連付けられる情報とを表示するステップとを実行させる。
【００１６】
ある局面において、情報表示端末のユーザは、電話の着信を受けた場合に応答する前に、当該電話の内容を事前に予測することができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】情報表示端末１００のハードウェア構成を表わすブロック図である。
【図２】情報表示端末１００における第１の情報表示設定の一態様を表わす図である。
【図３】情報表示端末１００における第２の情報表示設定の一態様を表わす図である。
【図４】情報表示端末１００における第３の情報表示設定の一態様を表わす図である。
【図５】情報がメイン表示部１３０またはサブ表示部１３１に表示される場合における表示態様の設定を表わす図である。
【図６】使用対象となり得る１つ以上のアドレス帳の各設定を表わす図である。
【図７】メイン制御部１１０が実行する処理の一部を表わすフローチャートである。
【図８】メイン表示部１３０における画面が表示される状態を表わす図である。
【図９】情報表示端末１００が着信を受けた場合にさらに実行する処理の一部を表わすフローチャートである。
【図１０】メイン表示部１３０に表示される画面の一例を表わす図である。
【図１１】サーバ１６０のハードウェア構成を表わすブロック図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［ハードウェア構成］
図１を参照して、本発明の実施の形態に係る情報表示端末１００の構成について説明する。図１は、情報表示端末１００のハードウェア構成を表わすブロック図である。ある局面において、情報表示端末１００は、例示的には、携帯電話機、スマートフォンその他の通信機能を備える端末として実現される。通信機能は、周知の電話機能に限られず、たとえば、インターネット電話その他のパケット通信を用いた通話も含み得る。
【００２１】
情報表示端末１００は、無線通信部１０１と、通信制御部１０２と、有線通信部１０３と、キー操作部１０４と、メイン操作部１０５と、キー状態感知部１０６と、メイン制御部１１０と、センサ制御部１１１と、ＧＰＳ（Global  Positioning  System）制御部１１２と、カメラ制御部１１３と、ＳＩＭ（Subscriber  Identity  Module）カード制御部１１４と、電源制御部１１５と、音制御部１１６と、外部接続制御部１１７と、内蔵メモリ部１２０と、メイン表示部１３０と、サブ表示部１３１と、マイク１４０と、スピーカ１４１と、コネクタ１４２，１４３と、電池１４４とを備える。内蔵メモリ部１２０は、プログラムメモリ１２１と、ユーザメモリ１２２と、アドレス帳１２３と、端末設定メモリ１２４とを含む。外部接続制御部１１７には、外部メモリ１２５が接続され得る。
【００２２】
ある局面において、情報表示端末１００は、サーバ１６０とネットワーク１５０によって接続される。サーバ１６０は、ＰＣ（Personal  Computer）アドレス帳１６１と、クラウドアドレス帳１６２とを有している。
【００２３】
無線通信部１０１は、移動通信事業者によって提供される無線通信回線によって他の情報表示端末と通信可能に構成される。他の局面において、情報表示端末１００は、無線通信部１０１として、ＷｉＦｉ（Wireless  Fidelity）の通信回路を含み得る。
【００２４】
通信制御部１０２は、無線通信部１０１または有線通信部１０３による通信を制御し、無線通信部１０１または有線通信部１０３から送られる信号をメイン制御部１１０に伝送する。また、通信制御部１０２は、メイン制御部１１０から送られる信号を、その通信の態様に応じて無線通信部１０１または有線通信部１０３に伝送する。
【００２５】
有線通信部１０３は、情報表示端末１００と他の情報通信装置とのケーブルによる通信を実現する。なお、ある局面において、情報表示端末１００は、有線通信部１０３を備えていなくてもよい。
【００２６】
キー操作部１０４は、情報表示端末１００の筐体に設けられたハードスイッチとして構成される。キー操作部１０４は、たとえば、情報表示端末１００の電源スイッチとして機能する。
【００２７】
メイン操作部１０５は、メイン表示部１３０に表示されるソフトスイッチとして構成される。メイン操作部１０５は、情報表示端末１００に対するタッチ操作を受け付けて、そのタッチ操作に応じた信号をメイン制御部１１０に送信する。メイン制御部１１０は、そのタッチ操作に基づいて予め規定された制御を実行する。
【００２８】
キー状態感知部１０６は、キー操作部１０４に対する操作を受け付けて、その操作に応じた信号をメイン制御部１１０に送信する。メイン制御部１１０は、その信号に基づいて、予め規定された制御を実行する。
【００２９】
メイン制御部１１０は、情報表示端末１００に対して与えられる命令、または情報表示端末１００の内部において予め規定された条件が成立することに基づいて、情報表示端末１００に対して規定された動作を実行する。メイン制御部１１０は、ある局面において、ＣＰＵ（Central  Processing  Unit）その他のプロセッサを含む制御回路として実現される。
【００３０】
センサ制御部１１１は、情報表示端末１００の姿勢を検知する加速度センサを含む。センサ制御部１１１は、検出結果をメイン制御部１１０に送信する。メイン制御部１１０は、その検出結果に基づいてたとえば、メイン表示部１３０に表示される画面の表示方向を切り換える。
【００３１】
ＧＰＳ制御部１１２は、位置情報を取得するための測位回路として構成される。ＧＰＳ制御部１１２は、ＧＰＳ衛星その他の衛星から発信される測位のための信号を受信し、その信号に基づいて情報表示端末１００の位置を検出する。メイン制御部１１０は、その検出結果と、たとえばプログラムメモリ１２１に格納されている位置情報または情報表示端末１００の外部から取得される位置情報を参照して、情報表示端末１００の位置を地図上に表示する。
【００３２】
カメラ制御部１１３は、ＣＣＤ（Charge  Coupled  Device）素子、ＣＭＯＳ（Complementary  Metal-Oxide  Semiconductor）素子を有する撮像装置として構成される。カメラ制御部１１３は、レンズ（図示しない）を通して撮像した画像の信号をメイン制御部１１０に送信する。メイン制御部１１０は、その信号に基づいて画像をメイン表示部１３０またはサブ表示部１３１に表示する。
【００３３】
ＳＩＭカード制御部１１４は、情報表示端末１００が通信するために内部に挿入されるＳＩＭカードの情報を読み取り、メイン制御部１１０に伝送する。メイン制御部１１０は、ＳＩＭカードに保持されている情報が有効な情報であると判断すると、無線通信部１０１または有線通信部１０３を介した通信を実行する。
【００３４】
電源制御部１１５は、電池１４４から供給される電力を制御する。たとえば、情報表示端末１００に対する操作の入力が予め定められた時間ない場合には、電源制御部１１５は、メイン制御部１１０から送られるその状態を表わす信号に基づき、メイン表示部１３０またはサブ表示部１３１に対して供給される電力を小さくする。
【００３５】
音制御部１１６は、マイク１４０から出力される信号を変換し、変換後の信号をメイン制御部１１０に伝送する。他の局面において、音制御部１１６は、メイン制御部１１０から送られる信号を変換し、変換後の信号をスピーカ１４１に伝送する。スピーカ１４１は、その信号に基づいて音を出力する。
【００３６】
外部接続制御部１１７は、情報表示端末１００の外部の機器との通信を制御する。ある局面において、外部接続制御部１１７は、外部メモリ１２５に格納されているデータを読み出し、あるいはメイン制御部１１０から送られるデータを外部メモリ１２５に格納する。他の局面において、外部接続制御部１１７は、コネクタ１４２またはコネクタ１４３に接続されている機器から送られる信号の入力を受け付け、その信号をメイン制御部１１０に伝送する。他の局面において、外部接続制御部１１７は、メイン制御部１１０から送られる信号を、ケーブルの接続の有無またはＵＳＢインターフェイス対応機器の接続の有無に応じて、コネクタ１４２またはコネクタ１４３に伝送する。
【００３７】
内蔵メモリ部１２０は、情報表示端末１００の内部に予め構成されているメモリ装置として実現される。内蔵メモリ部１２０は、ある局面において、フラッシュメモリ、ＲＯＭ（Read  Only  Memory）その他の記憶装置として実現される。
【００３８】
プログラムメモリ１２１は、不揮発データ記憶領域として、情報表示端末１００に予め定められた動作を実行するためのプログラムを格納している。プログラムメモリ１２１は、具体的な、アプリケーション、条件設定、履歴、位置情報その他のプログラムまたはデータを保持する。これらのプログラムまたはデータは、情報表示端末１００の製造事業者によって準備され、プログラムメモリ１２１に書き込まれる。
【００３９】
ユーザメモリ１２２は、不揮発データ記憶領域として、情報表示端末１００のユーザによって生成されるデータを格納する。格納されるデータは、たとえば、電子メールのデータ、カメラの撮影によって得られた画像データ、サーバ１６０その他の外部の情報通信装置との接続によって得られたデータ（たとえば、ブログのデータ、ＳＮＳのデータ、インターネットのデータなど）を含む。情報表示端末１００がインターネットに接続してアクセスしたサイトのデータを受信すると、メイン制御部１１０は、そのデータをユーザメモリ１２２に保存する。このとき、メイン制御部１１０は、情報表示端末１００に登録されている電話番号に関連付けられている氏名に関連する情報を当該サイトから受信すると、当該受信した日時と、当該電話番号と、当該情報とを関連付けて、ユーザメモリ１２２に保存する。
【００４０】
アドレス帳１２３は、情報表示端末１００が通信可能な相手のアドレス帳を含む。アドレス帳は、ある局面において、情報表示端末１００が通信したデータから項目を抽出することにより構成される。他の局面において、アドレス帳１２３は、情報表示端末１００のユーザによって入力される。
【００４１】
端末設定メモリ１２４は、情報表示端末１００に対してユーザが入力した設定データを含む。設定データは、後述するように、情報表示端末１００が他の通信装置と通信した場合に情報表示端末１００がどのような動作を実行するかを規定するデータを含む。
【００４２】
外部メモリ１２５は、ＳＤ（Secure  Digital）カードその他の着脱可能な不揮発性のデータ記憶媒体として実現される。
【００４３】
メイン表示部１３０は、液晶モニタ、有機ＥＬ（Electro  Luminescence）モニタその他の表示装置として実現される。
【００４４】
サブ表示部１３１は、情報表示端末１００の背面に設けられる。サブ表示部１３１も、ある局面において、液晶モニタ、または有機ＥＬモニタとして実現される。なお、他の実施の形態において、情報表示端末１００は、サブ表示部１３１を有さない構成であってもよい。
【００４５】
発光部１３２は、たとえば、ＬＥＤ（Light  Emitting  Diode）その他の発光素子を含む。発光部１３２は、メイン制御部１１０から送られる信号に基づいて予め設定された色で発光する。
【００４６】
マイク１４０は、情報表示端末１００のユーザが無線通信部１０１を介して通話するために発話された音声の入力を受け付ける。
【００４７】
スピーカ１４１は、無線通信部１０１または有線通信部１０３によって通信された信号に基づく音声を出力する。他の局面において、スピーカ１４１は、ユーザメモリ１２２または外部メモリ１２５に格納されている音楽その他の音声データを出力し得る。
【００４８】
コネクタ１４２，１４３は、情報表示端末１００と他の装置とを接続するためのケーブルの装着を受け付ける。たとえば、コネクタ１４２は、microＵＳＢインターフェイスとして実現される。コネクタ１４３は、ＨＤＭＩ（High-Definition  Multimedia  Interface）インターフェイスとして実現される。
【００４９】
サーバ１６０において、ＰＣアドレス帳１６１は、サーバ１６０の運営者によって管理されるアドレス帳を含む。クラウドアドレス帳１６２は、サーバ１６０に接続可能な情報表示端末１００その他の情報通信端末から送られるアドレス帳のデータを格納する。
【００５０】
［構成の一態様］
図１を再び参照して、ある局面において、無線通信部１０１は、電話の着信を受ける。メイン表示部１３０またはサブ表示部１３１は、当該着信に関連付けられる情報を表示する。内蔵メモリ部１２０は、情報表示端末１００が受信した情報と、当該情報の発信者と、当該発信者のアドレス帳とを格納するように構成されている。メイン制御部１１０は、当該着信に応答して、発信者に関連付けられる情報が内蔵メモリ部１２０に存在する場合に、当該発信者の電話番号と関連付けられる情報とをメイン表示部１３０またはサブ表示部１３１に表示するように構成されている。
【００５１】
好ましくは、関連付けられる情報は、電子メール、ブログに書き込まれた情報、またはソーシャルネットワーキングサービスにおいて通信された情報のいずれかを含み得る。
【００５２】
好ましくは、他の局面において、内蔵メモリ部１２０は、当該発信者の著名度を表わすフラグをさらに格納している。当該フラグは、たとえば、著名度レベルとして、数値（たとえば、１，２，３）として表わされる。そのようなフラグは、情報表示端末１００のユーザによって任意に入力可能である。着信を受けたときの発信者の著名度が予め規定された著名度を上回る場合には、メイン制御部１１０は、当該発信者に関する他の情報を、情報表示端末１００が接続されているサーバ１６０から検索し、検索された他の情報をメイン表示部１３０またはサブ表示部１３１に表示するように構成されている。
【００５３】
他の局面において、複数の関連付けられる情報が内蔵メモリ部１２０に格納されている場合には、メイン制御部１１０は、日付が新しい順に関連付けられる情報をメイン表示部１３０またはサブ表示部１３１に表示するように構成されている。
【００５４】
他の局面において、着信を受けたときの発信者が着信を拒否する発信者として内蔵メモリ部１２０に登録されている場合には、メイン制御部１１０は、当該発信者が着信を拒否する発信者であることをメイン表示部１３０またはサブ表示部１３１に表示させる。
【００５５】
［データ構造］
図２を参照して、本実施の形態に係る情報表示端末１００のデータ構造について説明する。図２は、情報表示端末１００における第１の情報表示設定の一態様を表わす図である。第１の情報表示設定の内容は、端末設定メモリ１２４に保存されている。端末設定メモリ１２４は、データを格納するための領域２０１〜２１１を含む。
【００５６】
領域２０１は、電話番号を格納している。領域２０２は、当該電話番号の発信者の氏名を格納している。
【００５７】
領域２０３は、当該電話番号から着信を受けた場合にその電話番号に関連付けられる情報を表示するか否かの設定を格納している。領域２０４は、当該電話番号に関連付けられる情報としてＳＮＳ（Social  Networking  Service）／Ｃメール（ショートメッセージ）を表示するか否かの設定を保持している。
【００５８】
領域２０５は、当該電話番号からの着信を受けた場合にキャリアメールの内容を表示するか否かの設定を有している。キャリアメールとは、移動体通信のキャリア（通信事業者）のドメインで提供される電子メールサービスである。
【００５９】
領域２０６は、当該電話番号からの着信を受けた場合にＰＣメールの内容を表示するか否かの設定を有している。
【００６０】
領域２０７は、当該電話番号からの着信を受けた場合に統合メールを表示するか否かの設定を有している。ここで、統合メールとは、情報表示端末１００のユーザが複数のメールアカウントを有している場合に、各メールアカウントを統合して管理するアプリケーションまたはクラウドサービスによって提供されるサービスをいう。
【００６１】
領域２０８は、当該電話番号からの着信を受けた場合に短文をネットワーク上のサイトに投稿するためのサービス（“ＷＩＴＴＥＲ”）の内容を表示するか否かの設定を有している。領域２０９は、特定のＳＮＳ（“ＭＩＸＩＮＧ”）の内容を表示するか否かの設定を有している。領域２１０は、当該電話番号からの着信を受けた場合に、ＳＮＳ統合アプリの内容を表示するか否かの設定を有している。ここで、ＳＮＳ統合アプリとは、Jibeその他のＳＮＳを統合して管理するアプリケーションプログラムをいう。
【００６２】
領域２１１は、当該電話番号から着信を受けた場合に、当該電話番号の発信者の情報をウェブ上で検索するか否かの設定を有している。
【００６３】
たとえば、電話番号「０８０ｘｘｘｘｘｘ１」の発信があった場合には、情報表示端末１００における着信情報表示は、オン（on）に設定されている（領域２０３）。この場合、情報表示端末１００は、具体的にはＳＮＳ／Ｃメール（領域２０４）とキャリアメール（領域２０５）とＰＣメール（領域２０６）とＳＮＳ統合アプリ（領域２１０）とを表示する。一方、情報表示端末１００は、短文の投稿サービス（“ＷＩＴＴＥＲ”）（領域２０８）およびＳＮＳ（“ＭＩＸＩＮＧ”）（領域２０９）の内容を表示しないように構成されている。
【００６４】
電話番号「０８０○○○○○○２」の通信相手については、着信情報表示がオフ（off）に設定されている（領域２０３）。したがって、情報表示端末１００は、電話番号「０８０○○○○○○２」の相手から着信を受けた場合には、電子メール、ＳＮＳその他の情報を表示しない。
【００６５】
設定される項目は、図２に示されるものに限られない。たとえば、特定の電話番号が他の情報表示端末その他の通信装置との間で交換されるか否かを規定する項目が設定されてもよい。この設定によれば、意図しない第三者に対して電話番号が流出することが防止される。
【００６６】
図３を参照して、情報表示端末１００のデータ構造についてさらに説明する。図３は、情報表示端末１００における第２の情報表示設定の具体的内容を表わす図である。第２の情報表示設定の内容は、端末設定メモリ１２４に保存されている。端末設定メモリ１２４において情報表示設定は、識別番号３０１と、内容３０２と、状態３０３とを含む。
【００６７】
識別番号３０１は、情報表示設定の各々を識別する。内容３０２は、メイン表示部１３０またはサブ表示部１３１に表示される内容を規定している。状態３０３は、端末設定メモリ１２４に登録されていない電話番号からの着信を受けた場合に、情報表示端末１００がサーバ１６０に接続して当該電話番号に関連する情報を検索するか否かの設定を表わす。
【００６８】
たとえば、識別番号が「２」である情報表示設定については、オン（on）に設定されている。したがって、情報表示端末１００は、情報表示端末１００自身、クラウドアドレス帳１６２、あるいは、ＰＣに連携したアドレス帳に保存されていない電話番号のいずれにも登録されていない電話番号からの着信を受けた場合には、当該電話番号をウェブ上で検索する。一方、識別番号が「３で」ある情報表示設定については、情報表示端末１００のアドレス帳にない電話番号はオフ（off）に設定されている。したがって、情報表示端末１００は、図２に示される第１の端末表示設定に含まれない電話番号からの着信を受けても、ウェブ上において検索しない。
【００６９】
［情報表示設定］
図４を参照して、情報表示端末１００における情報表示設定についてさらに説明する。図４は、情報表示端末１００における第３の情報表示設定の内容の一例を表わす図である。第３の情報表示設定も、端末設定メモリ１２４に保存されている。
【００７０】
端末設定メモリ１２４において、第３の情報表示設定は、アドレス帳を構成する電話番号の入手経路に応じてウェブ検索を行なうか否かあるいは第１の情報表示設定の画面を表示するか否かを規定している。なお、アドレス帳は、主たる項目として、氏名、１つ以上の電話番号、１つ以上のメールアドレスを含む。
【００７１】
領域４０１は、入手ルートを規定している。入手ルートとしては、たとえば赤外線または無線通信による入手、文字認識またはバーコードによる入手、またはユーザによる手入力を含む。
【００７２】
領域４０２は、ウェブ検索の結果を表示するか否かの設定を保持している。図４に示される例では、赤外線通信または無線通信で入手された電話番号に関連付けられる情報の検索結果は、メイン表示部１３０またはサブ表示部１３１に表示されるように設定されている。ここで、情報の検索結果は、たとえば、当該電話番号の保有者のブログ、関連記事その他の情報またはそのような情報の見出しを含む。
【００７３】
一方、文字認識またはバーコードによる入手もしくはユーザによる手入力によって入力された電話番号については、ウェブ検索の結果はメイン表示部１３０またはサブ表示部１３１に表示されないように設定されている。なお、設定がオフになっている場合には、表示されない場合に代えて、検索そのものが行なわれないものであってもよい。
【００７４】
領域４０３は、新規のアドレスを追加する場合に第１の情報表示設定の設定画面を表示するか否かの設定内容を保持している。たとえば、アドレス情報が赤外線通信もしくは無線通信または文字認識もしくはバーコードによって入手された場合には、第１の情報表示設定の設定画面がメイン表示部１３０またはサブ表示部１３１に表示されるように設定されている。一方、新規に追加されるアドレスがユーザによる手入力によって与えられるものである場合には、そのとき第１の情報表示設定の設定画面は表示されないように設定されている。
【００７５】
［レイアウト設定］
図５を参照して、情報表示端末１００における情報表示のレイアウト設定について説明する。図５は、情報がメイン表示部１３０またはサブ表示部１３１に表示される場合における表示態様の設定を表わす図である。
【００７６】
端末設定メモリ１２４において、情報表示端末１００は、レイアウトが自動設定またはユーザ設定のいずれであるかが設定されている。ある局面において、図５に示されるように、ユーザ設定がオンに指定されている。この場合、情報表示端末１００のユーザは、メイン表示部１３０またはサブ表示部１３１に表示される各項目が表示される場所または各項目の大きさを設定できる。
【００７７】
表示される項目は、たとえば、電話番号、氏名（領域２０２）、電子メールの内容、ブログの内容などを含む。レイアウトの設定は、情報表示端末１００のユーザがメイン操作部１０５またはキー操作部１０４に対して操作を行なうことにより変更可能である。メイン制御部１１０は、その操作に基づいて、領域５０１に関連付けられる設定データ（領域５０２）を切り換えて情報表示のレイアウト設定として保持する。あるいは、他の局面において、情報表示端末１００の製造事業者によってデフォルトで用意された複数のレイアウト候補がユーザに選択されるように構成されていてもよい。
【００７８】
なお、表示される項目の大きさは、たとえばユーザがピンチインまたはピンチアウトを行なうことにより実現されるが、他の操作によって設定されてもよい。また、表示される項目の場所は、たとえば、ユーザがドラッグ操作を行なうことにより移動されるが、他の操作によって実現されてもよい。
【００７９】
［データ構造］
図６を参照して、情報表示端末１００のデータ構造についてさらに説明する。図６は、端末設定メモリ１２４における使用対象となるアドレス帳の設定状態を表わす図である。
【００８０】
端末設定メモリ１２４は、領域６０１と領域６０２とを含む。領域６０１は、情報表示端末１００が利用可能なアドレス帳を識別するデータを保持している。領域６０２は、当該アドレス帳が情報表示端末１００において使用対象であるか否かの設定を保持している。たとえば、端末のアドレス帳と、第１のクラウドアドレス帳と、ＰＣ連携アプリの第１アドレス帳とがそれぞれオンに設定されている。その他のアドレス帳はオフに設定されている。したがって、ある局面において、メイン制御部１１０は、情報表示端末１００のアドレス帳１２３と、第１のクラウドアドレス帳（たとえばサーバ１６０に保持されているクラウドアドレス帳１６２）と、ＰＣ連携アプリの第１アドレス帳とを参照することができる。
【００８１】
また、この場合、オフに設定されたアドレス帳については、情報表示端末１００は、内蔵メモリ部１２０にないものとみなし、データ記憶領域にアクセスしない。これにより、アドレス帳のデータが不用意に流出することが防止されるため、セキュリティが維持される。
【００８２】
［制御構造］
図７を参照して、本実施の形態に係る情報表示端末１００の制御構造について説明する。図７は、メイン制御部１１０が実行する処理の一部を表わすフローチャートである。
【００８３】
ステップＳ７１０にて、メイン制御部１１０は、通信制御部１０２から送られる信号に基づいて、情報表示端末１００が着信を受けたことを検知する。
【００８４】
ステップＳ７２０にて、メイン制御部１１０は、その着信を受けた信号に含まれるヘッダ情報に基づいて、着信番号を抽出し、その着信番号が電話帳設定（図６）で設定されたアドレス帳に含まれているか否かを判断する。メイン制御部１１０は、その番号がアドレス帳に含まれていると判断すると（ステップＳ７２０にてＹＥＳ）、制御をステップＳ７３０に切り換える。そうでない場合には（ステップＳ７２０にてＮＯ）、メイン制御部１１０は、制御をステップＳ７６０に切り換える。
【００８５】
ステップＳ７３０にて、メイン制御部１１０は、着信番号が第１の情報表示設定（図２）で着信表示オン（領域２０３）に設定されているか否かを判断する。メイン制御部１１０は、その着信番号が着信表示オンに設定されていると判断すると（ステップＳ７３０にてＹＥＳ）、制御をステップＳ７４０に切り換える。そうでない場合には（ステップＳ７３０にてＮＯ）、メイン制御部１１０は、制御をステップＳ７５０に切り換える。
【００８６】
ステップＳ７４０にて、メイン制御部１１０は、予め規定された情報表示のレイアウト設定（図５）に規定された条件に従って、当該番号に関連付けられる情報を表示する。
【００８７】
ステップＳ７５０にて、メイン制御部１１０は、情報を表示することなく、着信があることを表示する。
【００８８】
ステップＳ７６０にて、メイン制御部１１０は、第２の情報表示設定（図３）に規定された条件に従って当該番号に関連付けられた情報を表示し、または表示することなく着信の表示を行なう。
【００８９】
ステップＳ７７０にて、メイン制御部１１０は、情報表示端末１００のユーザがメイン操作部１０５に対して応答操作を行なったことに基づいて、無線通信部１０１との間で着信に対する応答を行なう。
【００９０】
［表示態様］
図８を参照して、本実施の形態に係る情報表示端末１００における画面の表示態様について説明する。図８は、メイン表示部１３０における画面が表示される状態を表わす図である。
【００９１】
状態Ａにおいて、メイン表示部１３０は、電話の着信があったことを表示している。具体的には、メイン表示部１３０は、発信者がＡさんであり、電話番号が０８０ｘｘｘｘｘｘ１であることを表示する。
【００９２】
その後、状態Ｂに示されるように、メイン制御部１１０は、メイン表示部１３０に対してその発信者に関連付けられる情報を表示する。具体的には、メイン表示部１３０は、ユーザメモリ１２２から検索された受信メール８１０とブログ８２０とを表示する。このようにすると、情報表示端末１００のユーザは、受信メール８１０の内容またはブログ８２０の内容を参照することにより、発信者との間で最近どのようなやり取りが行なわれたかを容易に思い出すことができる。
【００９３】
なお、ある局面において、情報表示端末１００が複数の受信メール８１１，８１２を表示する場合には、日付の新しいものから予め設定された数のメールが表示される。このようにすると、より最近の記憶が甦るため、情報表示端末１００のユーザは、当該発信者と適切な通話を行なうことができる。また、ブログ８２０が複数の内容８２１，８２２を有している場合も、日付の新しいものから予め設定された数の内容が表示される。
【００９４】
図９を参照して、情報表示端末１００の制御構造についてさらに説明する。図９は、情報表示端末１００が着信を受けた場合にさらに実行する処理の一部を表わすフローチャートである。この処理は、着信表示（ステップＳ７６０）が行なわれている間に実行される。
【００９５】
具体的には、ステップＳ９１０にて、メイン制御部１１０は、ネットワーク１５０への接続を実行し、サーバ１６０に対するアクセスを試みる。なお、予め定められた期間内に通信が確立できない場合には、メイン制御部１１０は、その旨をメイン表示部１３０に表示する。これにより、着信への応答が遅れることを防止できる。
【００９６】
ステップＳ９２０にて、メイン制御部１１０は、サーバ１６０との通信が確立すると、着信を受けた信号に含まれる電話番号を検索サイトに送信する。サーバ１６０は、予め設定された検索サイトに対して当該電話番号を検索キーとして入力し、当該電話番号に関連する情報を検索する。
【００９７】
ステップＳ９３０にて、メイン制御部１１０は、サーバ１６０から送られる検索結果としての当該電話番号に関連付けられる情報を、無線通信部１０１を介して受信する。
【００９８】
ステップＳ９４０にて、メイン制御部１１０は、その受信した情報をメイン表示部１３０に表示する。
【００９９】
［画面の表示態様］
そこで、図１０を参照して、情報表示端末１００における画面の表示態様についてさらに説明する。図１０は、メイン表示部１３０に表示される画面の一例を表わす図である。
【０１００】
状態Ａにおいて、情報表示端末１００は、未登録の発信者からの着信を検知し、発信者が未登録であること、および当該発信者の電話番号を表示する。その間、メイン制御部１１０は、サーバ１６０との通信を確立し、当該電話番号に関連付けられる情報の検索結果をサーバ１６０から受信する。
【０１０１】
状態Ｂに示されるように、メイン表示部１３０は、当該電話番号（０８０ｙｙｙｙｙｙｙ）に関連付けられる情報を表示する。これにより、情報表示端末１００のユーザは、未登録の電話番号から着信を受けた場合に、その電話番号の使用者がたとえばどのような発信を行なっているかを知ることができるので、適切な対応が取りやすくなる。
【０１０２】
なお、情報表示端末１００が、当該電話番号に関連付けられる情報の検索結果を得ることができない場合には、メイン制御部１１０は、メイン表示部１３０に、その旨を表示する。あるいは、別の局面において、メイン制御部１１０は、メイン表示部１３０に、未登録の発呼者からの着信に対する応答として、予め準備されたメッセージを表示させてもよい。これにより、情報表示端末１００のユーザは、不意の着信に対しても、より適切に対応することができる。
【０１０３】
図１１を参照して、本実施の形態に係るサーバ１６０の構成について説明する。図１１は、サーバ１６０のハードウェア構成を表わすブロック図である。
【０１０４】
サーバ１６０は、主たる構成要素として、プログラムを実行するＣＰＵ１と、サーバ１６０のユーザによる指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信ＩＦ（Interface）９とを備える。各構成要素は、相互にバスによって接続されている。光ディスク駆動装置６には、ＣＤ−ＲＯＭ９その他の光ディスクが装着される。通信ＩＦ９は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【０１０５】
サーバ１６０における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信ＩＦ７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【０１０６】
図１１に示されるサーバ１６０を構成する各構成要素は、一般的なものである。サーバ１６０の各ハードウェアの動作は周知であるので、詳細な説明は繰り返さない。
【０１０７】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【０１０８】
ここでいうプログラムとは、ＣＰＵにより直接実行可能なプログラムだけでなく、ソースプログラム形式のプログラム、圧縮処理されたプログラム、暗号化されたプログラム等を含み得る。
【０１０９】
［実施の形態の効果］
ある局面において、本実施の形態に係る情報表示端末１００によると、待ち合せの確認などの電話がかかってきた場合、情報表示端末１００のユーザは、当該電話の発呼者から過去に受信したメールの内容を確認した上で電話に出ることができる。したがって、電話の要件を予測することもできるので、電話の応対時に不要のストレスを感じることも少なくなり得る。
【０１１０】
他の局面において、メールや通話がしばらく行なわれていなかった相手からの電話を受けた場合であっても、情報表示端末１００は、電話がかかってきた際に当該相手のブログ、インターネット上の投稿内容その他の情報を表示するので、情報表示端末１００のユーザは、当該相手の最近の情報を知ることができる。したがって、当該ユーザと相手との会話が弾みやすくなる。
【０１１１】
他の局面において、電話の発信者が著名な人物である場合あるいは企業の場合には、情報表示端末１００は、着信に応答して当該人物あるいは当該企業の情報をインターネット上の各サイトから検索して表示する。情報表示端末１００のユーザは、その情報を知ることにより、当該人物あるいは企業の動向を把握することができる。
【０１１２】
さらに他の局面において、情報表示端末１００が当該発呼者に関する情報を保存データあるいはインターネットから検索した結果、当該発呼者の電話番号が迷惑電話として登録または周知であり、あるいは、応対がおぞましくない相手として登録されている場合には、ユーザが不用意に電話に応答することが防止されるため、たとえば、子供その他の社会的弱者を保護することができる。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１４】
２  マウス、３  キーボード、４  ＲＡＭ、５  ハードディスク、６  光ディスク駆動装置、８  モニタ、９  ＲＯＭ、１００  情報表示端末、１０１  無線通信部、１０２  通信制御部、１０３  有線通信部、１０４  キー操作部、１０５  メイン操作部、１０６  キー状態感知部、１１０  メイン制御部、１１１  センサ制御部、１１２  ＧＰＳ制御部、１１３  カメラ制御部、１１４  カード制御部、１１５  電源制御部、１１６  音制御部、１１７  外部接続制御部、１２０  内蔵メモリ部、１２１  プログラムメモリ、１２２  ユーザメモリ、１２３  アドレス帳、１２４  端末設定メモリ、１２５  外部メモリ、１３０  メイン表示部、１３１  サブ表示部、１３２  発光部、１４０  マイク、１４１  スピーカ、１４２，１４３  コネクタ、１４４  電池、１５０  ネットワーク、１６０  サーバ、１６２  クラウドアドレス帳。
【図１】
2013165419.tif 000003
【図２】
2013165419.tif 000004
【図３】
2013165419.tif 000005
【図４】
2013165419.tif 000006
【図５】
2013165419.tif 000007
【図６】
2013165419.tif 000008
【図７】
2013165419.tif 000009
【図８】
2013165419.tif 000010
【図９】
2013165419.tif 000011
【図１０】
2013165419.tif 000012
【図１１】
2013165419.tif 000013